(57)【特許請求の範囲】
【請求項１】
操作部材または被操作部材に連結されるインナーケーブル、該インナーケーブルを摺動自在に挿通するアウターチューブ、および、該アウターチューブの端部に固定され小径部と該小径部の軸方向両側に隣接したアウターチューブ側大径部および先端側大径部とが設けられた弾性変形可能なケーブルキャップを有するコントロールケーブルと、
ブラケットと
を備え、
前記ブラケットは、
前記ケーブルキャップの小径部を上方から差し入れ可能な有底の切込溝と、
該切込溝の内壁から該内壁に対向する内壁側に突出するように設けられ前記ケーブルキャップの小径部の下側部分が前記切込溝の底に当接した当接位置で前記ケーブルキャップの小径部の上側部分に係合する係合凸部と、
前記アウターチューブ側大径部が当接する前記ブラケットの当接面に対して凹設され、前記ブラケットに対する前記ケーブルキャップの傾きを許容する許容部と、傾いて前記許容部内に進入した前記アウターチューブ側大径部の外周面の縁部の上方に位置する係合面とを有し、外部からの操作力によって前記コントロールケーブルの前記アウターチューブ側が前記係合凸部に係合した前記小径部を支点として上方に傾いた状態で前記アウターチューブ側大径部の外周面の縁部が前記係合面に係合する係合凹部と
を有することを特徴とするコントロールケーブルの端末固定装置。
【請求項２】
前記軸方向の前記切込溝の長さは、前記切込溝内に前記ケーブルキャップの小径部が装着された状態で前記アウターチューブ側大径部および前記先端側大径部が軸方向に略緊密に前記ブラケットに当接するように、前記軸方向の前記ケーブルキャップの小径部の長さよりも僅かに短く形成されていることを特徴とする請求項１に記載のコントロールケーブルの端末固定装置。
【請求項３】
前記係合凹部は前記当接位置の前記ケーブルキャップの軸心を中心として前記ブラケットの当接面の径方向外側に環状に設けられ、前記係合面は前記係合凹部の外周の内壁に形成されていることを特徴とする請求項２に記載のコントロールケーブルの端末固定装置。
【発明の詳細な説明】
【技術分野】
【０００１】
本発明は、コントロールケーブルの端末固定装置に関し、特に、アウターチューブにインナーケーブルを摺動自由に挿通したコントロールケーブルのアウターチューブの端末を固定部材であるブラケットに固定するコントロールケーブルの端末固定装置に関するものである。
【背景技術】
【０００２】
特許文献１には、取付板（ブラケット）のＵ字状の切込溝にアウターケーシング（アウターチューブ）の小径部を挿入し、ばね部材によってアウターケーシングの大径部を取付板の凹部内に付勢して嵌合させることで、アウターケーシングが切込溝から脱離することを阻止でき、アウターケーシングを取付板に確実に固定できるようにしたコントロールケーブルの端末装置が開示されている。
【０００３】
しかし、この装置は、専用のばね部材が必要であるため、部品点数が多く、コストを上昇させ、また、ばね部材の組み付けが煩雑であった。
【先行技術文献】
【特許文献】
【０００４】
【特許文献１】実公平０１−０４２６４７号公報
【発明の概要】
【発明が解決しようとする課題】
【０００５】
本発明は、コストを上昇させない簡単な構成でブラケットからのコントロールケーブルの脱離を阻止できるコントロールケーブルの端末固定装置を提供することを課題とする。
【課題を解決するための手段】
【０００６】
前記課題を解決するための手段として、本発明のコントロールケーブルの端末固定装置は、操作部材または被操作部材に連結されるインナーケーブル、該インナーケーブルを摺動自在に挿通するアウターチューブ、および、該アウターチューブの端部に固定され小径部と該小径部の軸方向両側に隣接したアウターチューブ側大径部および先端側大径部とが設けられた弾性変形可能なケーブルキャップを有するコントロールケーブルと、ブラケットとを備え、前記ブラケットは、前記ケーブルキャップの小径部を上方から差し入れ可能な有底の切込溝と、該切込溝の内壁から該内壁に対向する内壁側に突出するように設けられ前記ケーブルキャップの小径部の下側部分が前記切込溝の底に当接した当接位置で前記ケーブルキャップの小径部の上側部分に係合する係合凸部と、前記アウターチューブ側大径部が当接する前記ブラケットの当接面に対して凹設され、前記ブラケットに対する前記ケーブルキャップの傾きを許容する許容部と、傾いて前記許容部内に進入した前記アウターチューブ側大径部の外周面の縁部の上方に位置する係合面とを有し、外部からの操作力によって前記コントロールケーブルの前記アウターチューブ側が前記係合凸部に係合した前記小径部を支点として上方に傾いた状態で前記アウターチューブ側大径部の外周面の縁部が前記係合面に係合する係合凹部とを有する。
【０００７】
この構成によれば、ケーブルキャップが弾性変形可能であるので、ケーブルキャップの小径部をブラケットの切込溝に上方から差し入れて係合凸部と係合凸部に対向する内壁との間を通過するように押し込むことができる。そして、押し込まれたケーブルキャップは、ケーブルキャップの小径部の下側部分が切込溝の底に当接した当接位置で小径部の上側部分がブラケットの係合凸部により係合された状態で切込溝に収容することができる。したがって、コントロールケーブルを切込溝からの抜け出しが阻止された状態でブラケットに固定することができる。この状態で、外部からの操作力によってコントロールケーブルが切込溝から抜け出る方向に引っ張られると、コントロールケーブルは、小径部を支点としてアウターチューブ側が小径部より上方となるように傾斜する。その際、ケーブルキャップは、アウターチューブ側大径部の上側がブラケットに圧接されるとともに、下側がブラケットから離れるように弾性変形する。ブラケットに係合凹部を設けているので、ケーブルキャップの小径部が係合凸部と係合凸部に対向する内壁との間を上方向に通過する前に、アウターチューブ側大径部の外周面の縁部を係合凹部に係合させることができる。これにより、外部からの操作力によってコントロールケーブルが切込溝から抜け出す方向に引っ張られた場合、切込溝から抜け出ることを阻止することができる。したがって、専用の固定部品を別途設けることなく、簡単な構成にて、アウターチューブの端末に連結されたケーブルキャップをブラケットに確実に固定することができる。
係合凹部は、ブラケットの当接面に対して凹設されており、組み付け時に、アウターチューブ側大径部と係合凹部とを係合させる作業が不要であるため、ケーブルキャップのブラケットへの取り付けを容易にすることができる。
外部からの操作力によってコントロールケーブルが切込溝から抜け出す方向に引っ張られた場合にケーブルキャップを傾斜させて許容部に進入させた後、係合凹部の係合面に確実に係合させることができる。これにより、ケーブルキャップの切込溝からの抜け出しをより確実に阻止することができる。
【０００８】
前記軸方向の前記切込溝の長さは、前記切込溝内に前記ケーブルキャップの小径部が装着された状態で前記アウターチューブ側大径部および前記先端側大径部が軸方向に略緊密に前記ブラケットに当接するように、前記軸方向の前記ケーブルキャップの小径部の長さよりも僅かに短く形成されていることが好ましい。この構成によれば、軸方向の切込溝の長さを小径部の長さよりも僅かに短くなるように形成しているため、アウターチューブ側大径部および先端側大径部が軸方向に略緊密にブラケットの当接面に当接するようにコントロールケーブルのケーブルキャップを切込溝に装着することができる。これにより、専用の固定部品を別途設けることなく、ケーブルキャップをブラケットに対して軸方向へガタツキなく取り付けることができる。
【００１０】
前記係合凹部は前記当接位置の前記ケーブルキャップの軸心を中心として前記ブラケットの当接面の径方向外側に環状に設けられ、前記係合面は前記係合凹部の外周の内壁に形成されていることが好ましい。この構成によれば、コントロールケーブルが切込溝の抜け出し方向に対して少し斜め方向に引っ張られた場合でも、アウターチューブ側大径部と係合凹部の係合面とを係合させることができる。これにより、ケーブルキャップの切込溝からの抜け出しをより確実に阻止することができる。
【発明の効果】
【００１１】
本発明によれば、コントロールケーブルが切込溝から抜け出る方向に引っ張られた場合、係合凸部に係合したケーブルキャップは、アウターチューブ側大径部の上側がブラケットに圧接されるとともに、下側がブラケットから離れるように弾性変形し、ケーブルキャップの小径部が係合凸部と係合凸部に対向する内壁との間を上方向に通過する前に、アウターチューブ側大径部の外周面の縁部を係合凹部に係合させることができる。これにより、外部からの操作力によってコントロールケーブルが切込溝から抜け出す方向に引っ張られた場合、切込溝から抜け出ることを阻止することができる。係合凹部は、ブラケットの当接面に対して凹設されており、組み付け時に、アウターチューブ側大径部と係合凹部とを係合させる作業が不要であるため、ケーブルキャップのブラケットへの取り付けを容易にすることができる。外部からの操作力によってコントロールケーブルが切込溝から抜け出す方向に引っ張られた場合にケーブルキャップを傾斜させて許容部に進入させた後、係合凹部の係合面に確実に係合させることができる。これにより、ケーブルキャップの切込溝からの抜け出しをより確実に阻止することができる。したがって、専用の固定部品を別途設けることなく、簡単な構成にて、アウターチューブの端末に連結されたケーブルキャップをブラケットに確実に固定することができる。したがって、ブラケットからのコントロールケーブルの脱離を阻止できる。
【図面の簡単な説明】
【００１２】
【図１】本発明にかかるコントロールケーブルの端末固定装置を示す図。
【図２】コントロールケーブルの断面図。
【図３】ブラケットを示し、（ａ）はその正面図、（ｂ）はその側方断面図。
【図４】（ａ）は本発明にかかるコントロールケーブルの端末固定装置の組み付け状態を示す図、（ｂ）はブラケットの切込溝内におけるケーブルキャップの小径部の固定位置を示す図。
【図５】（ａ）および（ｂ）はコントロールケーブルが切込溝から抜け出る方向に引っ張られた状態を示す図。
【図６】ケーブルキャップが係合凹部の係合面に係合した状態を示す図。
【発明を実施するための形態】
【００１３】
以下、本発明の実施の形態を図面に従って説明する。
【００１４】
図１に示すように、本発明にかかるコントロールケーブルの端末固定装置１０は、コントロールケーブル１１と、このコントロールケーブル１１を固定するブラケット１２とを備えている。
【００１５】
コントロールケーブル１１は、車両のインナーハンドル等の操作部材（図示せず）または車両のドアロック装置の操作レバー等の被操作部材（図示せず）に連結部材１３を介して連結されるインナーケーブル１４、該インナーケーブル１４を摺動自在に挿通するアウターチューブ１５、および、該アウターチューブ１５の端部に連結されたケーブルキャップ１６を備えている。
【００１６】
ケーブルキャップ１６は、略円筒状の弾性体からなっている。図２に示すように、ケーブルキャップ１６は、小径部１７、アウターチューブ側大径部１８、および、先端側大径部１９を備えている。小径部１７は、後述するブラケット１２の切込溝２７に差し入れられる。小径部１７の軸方向の長さはＬである。アウターチューブ側大径部１８は、小径部１７の軸方向アウターチューブ１５側と隣接した環状のフランジ部分と、該環状のフランジ部分から軸方向アウターチューブ１５側に延びた円柱部分とを有している。アウターチューブ側大径部１８の外周面の縁部２０は、後述するブラケット１２の係合凹部３４の係合面３６に係合する。縁部２０は、アウターチューブ側大径部１８の外周面の小径部１７側の領域であり、他の領域より径が大きく形成されている。先端側大径部１９は、小径部１７の軸方向先端側に隣接し端部に向かって先細りになっている。アウターチューブ側大径部１８の小径部１７と反対側の端面にアウターチューブ１５を収容する挿入凹部２１が設けられている。挿入凹部２１の内径は、アウターチューブ１５の外径と略一致する。ケーブルキャップ１６には、挿入凹部２１と先端側の外部との間を軸方向に貫通する貫通孔２２が設けられている。貫通孔２２の軸心と、挿入凹部２１の軸心とは一致しており、その貫通孔２２には、アウターチューブ１５の端部から突出したインナーケーブル１４が摺動自在に挿通されている。貫通孔２２の内径は、挿入凹部２１の内径より小さい。図４（ａ）に示すように、ケーブルキャップ１６は、小径部１７が後述する切込溝２７内に装着された状態でアウターチューブ側大径部１８および先端側大径部１９が軸方向に略緊密にブラケット１２に当接するようになっている。
【００１７】
ブラケット１２は、基部２３と基部２３から略垂直に立ち上がった薄板状の垂直部２４とを備えている。図３（ａ）に示すように、垂直部２４の垂直方向（厚さ方向）の一面には、上縁２５に隣接した領域にコントロールケーブル１１を取り付ける取り付け部２６が設けられている。図３（ｂ）に示すように、取り付け部２６が形成された領域の垂直部２４の厚さは、取り付け部２６が形成されていない領域の垂直部２４の厚さよりも薄い。
【００１８】
取り付け部２６には、上方が開口した略Ｕ字状の切込溝２７が設けられている。図４（ｂ）に示すように、切込溝２７のＵ字の直線部分の内壁２８，２９間の間隔はケーブルキャップ１６の小径部１７の直径とほぼ同じである。また、図３（ｂ）に示すように、軸方向の切込溝２７の長さ（当接面３１から当接面３２までの長さ）はＺであり、ケーブルキャップ１６の小径部１７の長さＬよりも僅かに短い。切込溝２７のブラケット１２の上縁２５側には、ケーブルキャップ１６の小径部１７を切込溝２７の下方へ案内するガイド部３０が設けられている。切込溝２７の底を形成する円弧部分は、切込溝２７の上方から差し入れられたケーブルキャップ１６の小径部１７の下側部分が当接し、この当接位置でケーブルキャップ１６が固定される。
【００１９】
切込溝２７の円弧部分と該円弧部分と連続する直線部分の一部の取り付け部２６の周縁部分には、当接面３１が設けられている。また、垂直部２４の垂直方向の他面には、当接面３２が設けられている。当接面３１は、ケーブルキャップ１６のアウターチューブ側大径部１８と当接する平坦面である。当接面３２は、ケーブルキャップ１６の先端側大径部１９と当接する平坦面である。
【００２０】
切込溝２７の内壁２８には、内壁２８に対向する内壁２９側に突出するように係合凸部３３が設けられている。すなわち、図４（ｂ）に示すように、係合凸部３３と内壁２９の間の間隔ｄは、ケーブルキャップ１６の小径部１７の直径Ｄよりも小さい。前記間隔ｄは、ケーブルキャップ１６の小径部１７を切込溝２７の上方から係合凸部３３を通過して下方に嵌入することができ、かつ、組み付け状態でひとりでに外れることがないような長さに設定されている。係合凸部３３は、切込溝２７に嵌入されたケーブルキャップ１６の小径部１７の上側部分に係合する位置に形成されている。
【００２１】
当接面３１の周囲の取り付け部２６には、係合凹部３４がアウターチューブ側大径部１８が当接するブラケット１２の当接面３１に対して凹設されている。係合凹部３４は、当接位置のケーブルキャップ１６の軸心を中心としてブラケット１２の当接面３１の径方向外側に環状に設けられている。図３（ｂ）に示すように、係合凹部３４は、ブラケット１２に対するケーブルキャップ１６の傾きを許容する傾斜面を有する許容部３５と、傾いて許容部３５内に進入したアウターチューブ側大径部１８の外周面の縁部２０の上方に位置する係合面３６とを備えている。この係合面３６は、係合凹部３４の外周の内壁に形成されている。図４（ａ）に示す組み付け状態の係合面３６とアウターチューブ側大径部１８の間の間隔Ｘは、図４（ｂ）に示す係合凸部３３の下端と小径部１７の水平方向の最大径部（中心部）の間の間隔Ｙよりも小さい。
【００２２】
本発明にかかるコントロールケーブルの端末固定装置１０の組み付け手順について説明する。
【００２３】
コントロールケーブル１１のケーブルキャップ１６の小径部１７をブラケット１２の切込溝２７に挿入すると、小径部１７の外周面の下側部分が係合凸部３３に係合する。さらに、ケーブルキャップ１６を押し込むと、小径部１７は弾性変形し係合凸部３３と内壁２９の間を通過して切込溝２７の底と当接する。そして、小径部１７は弾性復帰し、上側部分が係合凸部３３に係合した状態で切込溝２７に嵌入される。これにより、ケーブルキャップ１６の上方側への移動が阻止され、ケーブルキャップ１６の切込溝２７からの抜け出しが阻止される。そして、軸方向の切込溝２７の長さＺがケーブルキャップ１６の小径部１７の長さＬよりも僅かに短くなるように形成されているため、アウターチューブ側大径部１８および先端側大径部１９が軸方向に略緊密にブラケット１２の当接面３１，３２に当接するようにコントロールケーブル１１のケーブルキャップ１６を切込溝２７に装着することができる。これにより、専用の固定部品を別途設けることなく、ケーブルキャップ１６をブラケット１２に対して軸方向へガタツキなく取り付けることができる。したがって、コントロールケーブル１１をブラケット１２に確実に固定することができる。
【００２４】
一方、コントロールケーブル１１に連結された操作部材を車両のドアに組み付ける際、コントロールケーブル１１が切込溝２７から抜ける方向に引っ張られることがある。図５（ａ）に示すように、矢印方向の操作力がコントロールケーブル１１に加えられると、ケーブルキャップ１６は係合凸部３３を支点にして上方側に傾くように変形し、アウターチューブ側大径部１８は許容部３５に進入する（図６中の位置Ａ）。さらに、ケーブルキャップ１６が上方側に引っ張られると、小径部１７が僅かに上方に移動して、アウターチューブ側大径部１８の縁部２０が係合凹部３４の係合面３６に係合する（図５（ｂ）、図６中の位置Ｂ）。これにより、ケーブルキャップ１６の切込溝２７の抜け出し方向への移動が規制され、コントロールケーブル１１のブラケット１２からの脱離を防止できる。
【００２５】
本発明によれば、係合面３６とアウターチューブ側大径部１８の間の間隔Ｘが、係合凸部３３の下端と小径部１７の水平方向の最大径部（中心部）の間の間隔Ｙよりも小さくなるように構成しているので、コントロールケーブル１１が切込溝２７から抜け出る方向に引っ張られた場合、ケーブルキャップ１６は、アウターチューブ側大径部１８の上側がブラケット１２に圧接されるとともに、下側がブラケット１２から離れるように弾性変形し、ケーブルキャップ１６の小径部１７が係合凸部３３と係合凸部３３に対向する内壁２９との間を上方向に通過する前に、アウターチューブ側大径部１８の外周面の縁部２０を係合凹部３４の係合面３６に係合させることができる。これにより、外部からの操作力によってコントロールケーブル１１が切込溝２７から抜け出す方向に引っ張られた場合、切込溝２７から抜け出ることを阻止することができる。したがって、専用の固定部品を別途設けることなく、簡単な構成にて、アウターチューブ１５の端末に連結されたケーブルキャップ１６をブラケット１２に固定することができる。したがって、ブラケット１２からのコントロールケーブル１１の脱離を確実に阻止できる。
【００２６】
また、係合凹部３４は、ブラケット１２の当接面３１に対して凹設されており、組み付け時に、アウターチューブ側大径部１８と係合凹部３４とを係合させる作業が不要であるため、ケーブルキャップ１６のブラケット１２への取り付けを容易にすることができる。
【００２７】
外部からの操作力によってコントロールケーブル１１が切込溝２７から抜け出す方向に引っ張られた場合にケーブルキャップ１６を傾斜させて許容部３５に進入させた後、係合凹部３４の係合面３６に確実に係合させることができる。これにより、ケーブルキャップ１６の切込溝２７からの抜け出しをより確実に阻止することができる。さらに、係合凹部３４は当接位置のケーブルキャップ１６の軸心を中心としてブラケット１２の当接面３１の径方向外側に環状に設けられ、係合面３６は、係合凹部３４の外周の内壁に形成されているため、コントロールケーブル１１が切込溝２７の抜け出し方向に対して少し斜め方向に引っ張られた場合でも、アウターチューブ側大径部１８と係合凹部３４の係合面３６とを係合させることができる。これにより、ケーブルキャップ１６の切込溝２７からの抜け出しをより確実に阻止することができる。
【００２８】
本発明は実施形態のものに限定されず、種々の変形が可能である。例えば、アウターチューブ１５とケーブルキャップ１６とを一体的に形成してもよい。
【符号の説明】
【００２９】
１０  コントロールケーブルの端末固定装置
１１  コントロールケーブル
１２  ブラケット
１４  インナーケーブル
１５  アウターチューブ
１６  ケーブルキャップ
１７  小径部
１８  アウターチューブ側大径部
１９  先端側大径部
２０  縁部
２７  切込溝
２８，２９  内壁
３１  当接面
３３  係合凸部
３４  係合凹部
３５  許容部
３６  係合面
【図１】
0005781360.tif 000002
【図２】
0005781360.tif 000003
【図３】
0005781360.tif 000004
【図４】
0005781360.tif 000005
【図５】
0005781360.tif 000006
【図６】
0005781360.tif 000007